【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
ａ）  少なくとも１種の式（Ｉ）の硫黄化合物
Ａ１−（Ｚ１）ｍ−（Ｓ）ｎ−（Ｚ２）ｐ−Ａ２  （Ｉ）  
［式中、記号と添字の定義が以下の通り：  
Ａ１とＡ２は、同一であるか異なって、Ｃ６−Ｃ１２−アリール、シクロヘキシル、Ｓｉ（ＯＲａ）３、飽和、部分的不飽和あるいは芳香族の、３〜１２員のモノシクロ環またはビシクロ環で、ＮとＯとＳからなる群の１個以上のヘテロ原子を有し、この系が無置換であるか、又はＯ、ＯＨ、Ｓ、ＳＨ、ＣＯＯＲｂ、ＣＯＮＲｃＲｄ、Ｃ１−Ｃ１８−アルキル、Ｃ１−Ｃ１８−アルコキシ、Ｃ１−Ｃ１８−チオアルキル、Ｃ６−Ｃ１２−アリール、Ｃ６−Ｃ１２−アリールオキシ、Ｃ２−Ｃ１８−アルケニル、Ｃ２−Ｃ１８−アルケノキシ、Ｃ２−Ｃ１８−アルキニル、及びＣ２−Ｃ１８−アルキンオキシの群の１個以上の置換基を有する基であり；  
Ｚ１とＺ２は、同一であるか異なって、−ＣＯ−又は−ＣＳ−であり；  
ＲａはＣ１−Ｃ１８−アルキルであり；  
Ｒｂ、Ｒｃ、及びＲｄは、同一であるか異なって、Ｈ、Ｃ１−Ｃ１８−アルキル、Ｃ６−Ｃ１２−アリール、または３〜１２員の芳香族モノシクロ環又はビシクロ環で、ＮとＯとＳの群の１個以上のヘテロ原子を有する基であり、
ｍ及びｐは、同一であるか異なって、０又は１であり、
ｎは２〜１０の自然数である］と、  
ｂ）少なくとも１種のハロゲン非含有有機リン化合物であって、リン含量が該リン化合物に対して５〜８０質量％の範囲にある化合物とを、
ａ：ｂの質量比が１：１０〜１０：１で含むことを特徴とする難燃剤。
【請求項２】
上記式（Ｉ）の記号と添字の定義が次の通り：
Ａ１とＡ２は、同一であるか異なって、フェニル、ビフェニル、ナフチル、ＮとＳとＯの群の１個または２個のヘテロ原子を有する５〜８員飽和環、又はＮとＳとＯの群の１〜４個のヘテロ原子をもつ５員〜１０員のモノシクロあるいはビシクロ芳香族環であり（なお、上記の５個の環系は、同一であるか異なって、無置換であるか、又はＯ、ＯＨ、Ｃ１−Ｃ１２−アルコキシ、Ｃ２−Ｃ１２−アルケニルオキシ、及びＣＯＯＲｂの群の１個以上の置換基で置換されている）；
Ｚ１とＺ２は、同一であるか異なって、−ＣＯ−又は−ＣＳ−であり；  
Ｒｂは、Ｈ、Ｃ１−Ｃ１２−アルキル、Ｃ６−Ｃ１０−アリール、またはＮとＯとＳの群の１個以上のヘテロ原子を持つ芳香族の５員環又は６員環であり；
ｍとｐは、０又は１であり；
ｎは、２〜１０の自然数である
請求項１に記載の難燃剤。
【請求項３】
式（Ｉ）の記号と添字の定義が次の通り： 
Ａ１とＡ２が、同一であるか異なって、以下の基であり；
【化１】
2013527859.tif 000001
Ｚ１とＺ２が−ＣＳ−であり；  
ｍとｐが、０または１であり；
ｎが２、４または６である
請求項１又は２に記載の難燃剤。
【請求項４】
式（Ｉ）の化合物が次の化合物：
【化２】
2013527859.tif 000002
から選択される請求項１〜３のいずれか一項に記載の難燃剤。
【請求項５】
上記リン化合物が、
式（ＩＩ）：
(Ｘ1)s＝ＰＲ1Ｒ2Ｒ3    （ＩＩ）  
［式（ＩＩ）の記号と添字の定義が次の通り：
Ｒ１は、Ｃ１−Ｃ１６−アルキル、Ｃ１−Ｃ１０−ヒドロキシアルキル、Ｃ２−Ｃ１６−アルケニル、Ｃ１−Ｃ１６−アルコキシ、Ｃ２−Ｃ１６−アルケノキシ、Ｃ３−Ｃ１０−シクロアルキル、Ｃ３−Ｃ１０−シクロアルコキシ、Ｃ６−Ｃ１０−アリール、Ｃ６−Ｃ１０−アリールオキシ、Ｃ６−Ｃ１０−アリール−Ｃ１−Ｃ１６−アルキル、Ｃ６−Ｃ１０−アリール−Ｃ１−Ｃ１６−アルコキシ、ＳＲ９、ＣＯＲ１０、ＣＯＯＲ１１、又はＣＯＮＲ１２Ｒ１３であり；  
Ｒ２は、Ｃ１−Ｃ１６−アルキル、Ｃ１−Ｃ１０−ヒドロキシアルキル、Ｃ２−Ｃ１６−アルケニル、Ｃ１−Ｃ１６−アルコキシ、Ｃ２−Ｃ１６−アルケノキシ、Ｃ３−Ｃ１０−シクロアルキル、Ｃ３−Ｃ１０−シクロアルコキシ、Ｃ６−Ｃ１０−アリール、Ｃ６−Ｃ１０−アリール−Ｃ１−Ｃ１６−アルキル、Ｃ６−Ｃ１０−アリール−Ｃ１−Ｃ１６−アルコキシ、ＳＲ９、ＣＯＲ１０、ＣＯＯＲ１１、又はＣＯＮＲ１２Ｒ１３であり；  
Ｒ３は、Ｈ、ＳＨ、ＳＲ４、ＯＨ、ＯＲ５、又は
（Ｙ１）ｎ−［Ｐ（＝Ｘ２）ｕＲ６−（Ｙ２）ｎ］ｍ−Ｐ（＝Ｘ３）ｔＲ７Ｒ８基であり；  
又は基Ｒ１とＲ２とＲ３の２個の基が、それに結合したリン原子と共に、環系を形成しており；  
Ｘ１、Ｘ２、及びＸ３は、同一であるか異なって、相互に独立してＯ又はＳであり；  
Ｙ１とＹ２は、同一であるか異なって、Ｏ又はＳであり；  
Ｒ４、Ｒ５、Ｒ９、Ｒ１０、Ｒ１１、Ｒ１２、及びＲ１３は、同一であるか異なって、Ｃ１−Ｃ１２−アルキル、Ｃ３−Ｃ８−シクロアルキル（無置換であっても、置換基として１種以上Ｃ１−Ｃ４−アルキル基で置換されていてもよい）、又はＣ２−Ｃ１２−アルケニル、Ｃ２−Ｃ１２−アルキニル、Ｃ６−Ｃ１０−アリール、またはＣ６−Ｃ１０−アリール−Ｃ１−Ｃ４−アルキルであり；  
Ｒ６、Ｒ７、及びＲ８は、同一であるか異なって、相互に独立して、Ｃ１−Ｃ１６−アルキル、Ｃ２−Ｃ１６−アルケニル、Ｃ１−Ｃ１６−アルコキシ、Ｃ２−Ｃ１６−アルケノキシ、Ｃ３−Ｃ１０−シクロアルキル、Ｃ３−Ｃ１０−シクロアルコキシ、Ｃ６−Ｃ１０−アリール、Ｃ６−Ｃ１０−アリールオキシ、Ｃ６−Ｃ１０−アリール−Ｃ１−Ｃ１６−アルキル、Ｃ６−Ｃ１０−アリール−Ｃ１−Ｃ１６−アルコキシ、ＳＲ９、ＣＯＲ１０、ＣＯＯＲ１１、又はＣＯＮＲ１２Ｒ１３であり；  
ｎは、Ｙ１とＹ２がそれぞれＯの場合は０または１であり、Ｙ１とＹ２がそれぞれＳの場合は１、２、３、４、５、６、７又は８であり；
ｍは、０〜１００の整数であり；
ｓ、ｔ、及びｕは、相互に独立して、０または１である］
で表されるリン化合物、及び
式（ＩＩＩ）：
【化３】
2013527859.tif 000003
［式（ＩＩＩ）の記号の定義が次の通り：
Ｂは次の基であり；  
【化４】
2013527859.tif 000004
Ｒ１６は、−Ｐ（＝Ｘ５）ｃＲ１７Ｒ１８、Ｈ、直鎖又は分岐状のＣ１−Ｃ１２−アルキル基、Ｃ５−Ｃ６−シクロアルキル、Ｃ６−Ｃ１２−アリール、またはベンジルであり、
（なお、上記の後ろ４個の基は、無置換であるか、又はＣ１−Ｃ４−アルキルとＣ１−Ｃ４−アルケニルの群から選ばれる１種以上の基で置換されている）；  
Ｒ１４、Ｒ１５、Ｒ１７、及びＲ１８は、同一であるか異なって、水素、ＯＨ、Ｃ１−Ｃ１６−アルキル、Ｃ２−Ｃ１６−アルケニル、Ｃ１−Ｃ１６−アルコキシ、Ｃ２−Ｃ１６−アルケノキシ、Ｃ３−Ｃ１０−シクロアルキル、Ｃ３−Ｃ１０−シクロアルコキシ、Ｃ６−Ｃ１０−アリール、Ｃ６−Ｃ１０−アリールオキシ、Ｃ６−Ｃ１０−アリール−Ｃ１−Ｃ１６−アルキル、Ｃ６−Ｃ１０−アリール−Ｃ１−Ｃ１６−アルコキシ、ＳＲ２３、ＣＯＲ２４、ＣＯＯＲ２５、又はＣＯＮＲ２６Ｒ２７であり、あるいはＲ１４とＲ１５とＲ１７とＲ１８の２個の基が、そこに結合するリン原子とともに、又はＰ−Ｏ−Ｂ−Ｏ−Ｐ基で環系を形成しており；  
Ｒ１９とＲ２０、Ｒ２１、Ｒ２２は、同一であるか異なって、Ｈ、Ｃ１−Ｃ１６−アルキル、Ｃ２−Ｃ１６−アルケニル、Ｃ１−Ｃ１６−アルコキシ、又はＣ２−Ｃ１６−アルケノキシであり；  
Ｒ２３とＲ２４、Ｒ２５、Ｒ２６、Ｒ２７は、同一であるか異なって、Ｈ、Ｃ１−Ｃ１６−アルキル、Ｃ２−Ｃ１６−アルケニル、Ｃ６−Ｃ１０−アリール、Ｃ６−Ｃ１０−アリール−Ｃ１−Ｃ１６−アルキル、又はＣ６−Ｃ１０−アリール−Ｃ１−Ｃ１６−アルコキシであり；  
Ｘ４とＸ５は、同一であるか異なって、Ｓ又はＯであり；  
ｂとｃは、同一であるか異なって、０又は１であり；  
Ｘ６、Ｘ７、Ｘ８、及びＸ９は、同一であるか異なって、Ｓ又はＯであり；
ａは、１〜５０の自然数である］で表されるリン化合物
から選択される請求項１〜４のいずれか一項に記載の難燃剤。
【請求項６】
発泡ポリマー又は非発泡ポリマーを難燃化させる方法であって、ポリマーの溶融物を製造し、該溶融物と請求項１〜５のいずれか一項に記載の難燃剤とを混合することを特徴とする方法。
【請求項７】
１種以上のポリマーと請求項１〜５のいずれか一項に記載の難燃剤とを含むポリマー組成物。
【請求項８】
０．２〜１０質量部（ポリマー１００質量部に対して）の難燃剤を含む請求項７に記載のポリマー組成物。
【請求項９】
ハロゲンフリーである請求項７又は８に記載のポリマー組成物。
【請求項１０】
スチレンポリマーを含む請求項７〜９のいずれか一項に記載のポリマー組成物。
【請求項１１】
上記ポリマーが発泡体である請求項７〜１０のいずれか一項に記載のポリマー組成物。
【請求項１２】
上記ポリマー発泡体の密度が５〜１５０ｇ／ｌである請求項１１に記載のポリマー組成物。
【請求項１３】
発泡性スチレンポリマー（ＥＰＳ）の形体である請求項１０に記載のポリマー組成物。
【請求項１４】
押出スチレンポリマー発泡体（ＸＰＳ）の形体である請求項１０〜１２のいずれか一項に記載のポリマー組成物。
【請求項１５】
請求項１４に記載のポリマー組成物及び／又は請求項１３に記載のポリマー組成物を含む絶縁材料。